(57)【要約】【課題】放射線像読取システムにおいて、放射線像変換パネルに記録された放射線像を表すより品質の高い画像データを取得する。【解決手段】励起光Ｌｅの照射を受けて放射線像変換パネル１０から発生した輝尽発光光を検出部３０で検出するときに、この検出部３０により、向き識別マーク６１、基準位置マーク６２、基準光発生部６３、バーコード６４から発せられた蛍光等を検出して（Ａ）向き識別情報、（Ｂ）基準位置情報、（Ｃ）受光部感度バラツキ情報、（Ｄ）パネル識別情報、（Ｅ）ΔＹ間隔情報等を取得する。上記各情報を入力した補正設定部７０が、▲１▼シェーディング補正、▲２▼漏れ光補正、▲３▼Ｘ線損傷補正、▲４▼鮮鋭度補正、▲５▼受光部感度補正、▲６▼受光部欠陥補正、▲７▼消去光量設定、▲８▼アンプゲイン設定、▲９▼ΔＹ間隔補正を実施する。【選択図】          図１
2004233449.tif 000002
【特許請求の範囲】
【請求項１】
放射線像変換パネルと、主走査方向に沿って励起光を照射する励起光照射手段、該励起光の照射を受けて前記放射線像変換パネルから発生した輝尽発光光を検出して該放射線像変換パネルに記録された放射線像を表す画像データを取得する検出手段、および前記放射線像変換パネルを前記検出手段に対して前記主走査方向と交わる副走査方向に相対的に移動させる移動手段を有する放射線像読取装置とを備えた放射線像読取システムであって、
前記放射線像変換パネルが、前記励起光の照射を受けて前記検出手段で検出可能な蛍光を発する、該放射線像変換パネルの向きを示す向き識別マークを有するものであり、
前記励起光の照射を受けて前記放射線像変換パネルから発生した輝尽発光光を前記検出手段で検出するときに前記励起光の照射を受けて前記向き識別マークから発せられた前記蛍光を前記検出手段により検出して取得された向き識別データに基づいて、前記検出手段により前記放射線像変換パネルから発生した前記輝尽発光光が検出されたときの該放射線像変換パネルの向きを識別する向き識別手段を備えていることを特徴とする放射線像読取システム。
【請求項２】
放射線像変換パネルと、主走査方向に沿って励起光を照射する励起光照射手段、該励起光の照射を受けて前記放射線像変換パネルから発生した輝尽発光光を検出して該放射線像変換パネルに記録された放射線像を表す画像データを取得する検出手段、および前記放射線像変換パネルを前記検出手段に対して前記主走査方向と交わる副走査方向に相対的に移動させる移動手段を有する放射線像読取装置とを備えた放射線像読取システムであって、
前記放射線像変換パネルが、前記励起光の照射を受けて前記検出手段で検出可能な蛍光を発する、該放射線像変換パネル上に予め設定された基準位置を示す基準位置マークを有するものであり、
前記励起光の照射を受けて前記放射線像変換パネルから発生した輝尽発光光を前記検出手段で検出するときに前記励起光の照射を受けて前記基準位置マークから発せられた前記蛍光を前記検出手段により検出して取得された基準位置データに基づいて、前記放射線像変換パネル上の前記画像データの取得位置と前記基準位置との位置関係を認識する位置関係認識手段を備えていることを特徴とする放射線像読取システム。
【請求項３】
放射線像変換パネルと、主走査方向に沿って励起光を照射する励起光照射手段、該励起光の照射を受けて前記放射線像変換パネルから発生した輝尽発光光を検出する多数の受光部が並べられたラインセンサを有し該ラインセンサにより前記輝尽発光光を検出して前記放射線像変換パネルに記録された放射線像を表す画像データを取得する検出手段、および前記放射線像変換パネルを前記検出手段に対して前記主走査方向と交わる副走査方向に相対的に移動させる移動手段を有する放射線像読取装置とを備えた放射線像読取システムであって、
前記放射線像変換パネルが、前記励起光の照射を受けて前記検出手段で検出可能な所定の光強度の蛍光を発する、前記主走査方向に延びる基準光発生部を有するものであり、
前記励起光の照射を受けて前記放射線像変換パネルから発生した輝尽発光光を前記検出手段で検出するときに前記励起光の照射を受けて前記基準光発生部から発せられた前記蛍光を前記検出手段により検出して取得された前記所定の光強度を示す所定光強度データに基づいて、前記各受光部間の感度バラツキを示す感度バラツキデータを取得する感度情報取得手段を備えていることを特徴とする放射線像読取システム。
【請求項４】
放射線像変換パネルと、主走査方向に沿って励起光を照射する励起光照射手段、該励起光の照射を受けて前記放射線像変換パネルから発生した輝尽発光光を検出する多数の受光部が並べられたラインセンサを有し該ラインセンサにより前記輝尽発光光を検出して前記放射線像変換パネルに記録された放射線像を表す画像データを取得する検出手段、および前記放射線像変換パネルを前記検出手段に対して前記主走査方向と交わる副走査方向に相対的に移動させる移動手段を有する放射線像読取装置とを備えた放射線像読取システムであって、
前記放射線像変換パネルが、前記励起光の照射を受けて前記検出手段で検出可能な蛍光を発する、前記主走査方向に延びる線分で示されるバーコードを有するものであり、
前記励起光の照射を受けて前記放射線像変換パネルから発生した輝尽発光光を前記検出手段で検出するときに前記励起光の照射を受けて前記バーコードから発せられた前記蛍光を前記検出手段により検出して取得されたバーコードデータに基づいて、該放射線像変換パネルを識別するパネル識別手段を備えていることを特徴とする放射線像読取システム。
【発明の詳細な説明】
【０００１】
【発明の属する技術分野】
本発明は、放射線像変換パネルと、励起光の照射を受けて上記放射線像変換パネルから発生した輝尽発光光を検出してこの放射線像変換パネルに記録された放射線像を表す画像データを取得する放射線像読取装置とからなる放射線像読取システムに関するものである。
【０００２】
【従来の技術】
従来より、Ｘ線等の放射線を照射するとこの放射線エネルギの一部を蓄積し、その後、可視光等の励起光を照射するとこの蓄積された放射線エネルギに応じて輝尽発光を示す蓄積性蛍光体（輝尽性蛍光体）を利用して、人体等の被写体の放射線像を蓄積性蛍光体層に一旦潜像として記録し、この蓄積性蛍光体層にレーザ光等の励起光を照射して輝尽発光光を生じせしめ、この輝尽発光光を光電的に検出して被写体の放射線像を表す画像データを取得する放射線像記録装置および放射線像読取装置等からなるシステムがＣＲ（Ｃｏｍｐｕｔｅｄ  Ｒａｄｉｏｇｒａｐｈｙ）としてが知られている。
【０００３】
このシステムに使用される記録媒体としては、支持基板上に蓄積性蛍光体層を積層して作成した放射線像変換パネルが知られており、この放射線像変換パネルと放射線像読取装置とで放射線像読取システムが構成される。
【０００４】
放射線像記録装置により、上記放射線像変換パネルに被写体を通った放射線を照射してこの放射線像変換パネルに上記被写体の放射線像が記録され、この放射線像変換パネルがカセッテに収容されて放射線像記録装置から取り出される。その後、このカセッテが放射線像読取装置に装着され、この放射線像読取装置が上記カセッテから放射線像変換パネルを取り出すとともに、上記輝尽発光光を検出する検出手段を上記放射線像変換パネルに対して副走査方向に相対的に移動させつつ、励起光の照射を受けて上記放射線像変換パネルから発生した輝尽発光光を上記検出手段で検出してこの放射線像変換パネルに記録された上記被写体の放射線像を表す画像データが取得される。上記のようにして被写体の放射線像を表す画像データが取得された放射線像変換パネルは、消去光が照射されてこの放射線像変換パネルに残存する放射線エネルギが放出されることにより再び放射線像の記録が可能となるので、この放射線像変換パネルは上記被写体を表す放射線像の記録および再生に繰り返し使用することができる。
【０００５】
上記放射線像読取システムは複数の放射線像変換パネルを使用した構成とされることがあり、放射線像変換パネルには、この放射線像変換パネルから取得された画像データとこの放射線像変換パネルに記録された被写体の情報（例えば、患者名、生年月日、撮影年月日、放射線照射量、撮影部位等）とを関連付けたり、あるいは放射線像変換パネルから取得された画像データとこの画像データに施す画像処理内容とを関連付けたりするバーコードを配置した放射線像変換パネルが知られており、さらに、励起光の照射により放射線像読取装置で読取可能な蛍光を発生する蛍光体で形成された上記副走査方向に延びる線分で示されるバーコードを配置した放射線像変換パネルも知られている（例えば、特許文献１参照）。
【０００６】
【特許文献１】
特開平８−８７０８５号公報
【０００７】
【発明が解決しようとする課題】
ところで、例えば、画像データにシェーディング補正を施す際には、放射線を一様曝射した放射線像変換パネルへの上記励起光の照射によりこの放射線像変換パネルから発生した輝尽発光光の検出に基づいて作成されたシェーディング補正用の補正データを予め放射線像読取装置に記憶させておき、上記放射線像変換パネルを使用して新たに取得された被写体の放射線像を表す画像データに対して上記補正データを用いて補正を実施しているが、上記補正データが示す放射線像変換パネル上の位置と上記画像データが示す放射線像変換パネル上の位置とをより正確に一致させて上記シェーディング補正を実施することにより、シェーディングの影響がより抑制された画像データを取得したいという要請がある。
【０００８】
また、検出手段にラインセンサを用いた放射線像読取システムにおいては、ラインセンサを構成する各受光部間の感度のバラツキの影響を抑制した画像データを取得したいという要請がある。さらに、検出手段にラインセンを用いるとともに蛍光を発生する蛍光体で形成された上記副走査方向に延びる線分で示されるバーコードを配置した放射線像変換パネルを使用した放射線像読取システムにおいては、励起光の照射を受けて輝尽発光光より長い波長の赤外蛍光を発する蛍光体で形成されたバーコードの像がラインセンサの受光部に結像されるときの色収差によるボケでバーコードの読取り精度が低下することを防止したいという要請がある。
【０００９】
本発明は、上記事情に鑑みてなされたものであり、放射線像変換パネルに記録された放射線像を表すより品質の高い画像データを取得することができる放射線像読取システムを提供することを目的とするものである。
【００１０】
【課題を解決するための手段】
本発明の第１の放射線像読取システムは、放射線像変換パネルと、主走査方向に沿って励起光を照射する励起光照射手段、励起光の照射を受けて放射線像変換パネルから発生した輝尽発光光を検出してこの放射線像変換パネルに記録された放射線像を表す画像データを取得する検出手段、および放射線像変換パネルを検出手段に対して主走査方向と交わる副走査方向に相対的に移動させる移動手段を有する放射線像読取装置とを備えた放射線像読取システムであって、前記放射線像変換パネルが、励起光の照射を受けて検出手段で検出可能な蛍光を発する、この放射線像変換パネルの向きを示す向き識別マークを有するものであり、励起光の照射を受けて放射線像変換パネルから発生した輝尽発光光を検出手段で検出するときに励起光の照射を受けて前記向き識別マークから発せられた蛍光を検出手段により検出して取得された向き識別データに基づいて、前記検出手段により前記放射線像変換パネルから発生した輝尽発光光が検出されたときのこの放射線像変換パネルの向きを識別する向き識別手段を備えていることを特徴とするものである。
【００１１】
本発明の第２の放射線像読取システムは、放射線像変換パネルと、主走査方向に沿って励起光を照射する励起光照射手段、励起光の照射を受けて放射線像変換パネルから発生した輝尽発光光を検出してこの放射線像変換パネルに記録された放射線像を表す画像データを取得する検出手段、および放射線像変換パネルを検出手段に対して主走査方向と交わる副走査方向に相対的に移動させる移動手段を有する放射線像読取装置とを備えた放射線像読取システムであって、放射線像変換パネルが、励起光の照射を受けて検出手段で検出可能な蛍光を発する、この放射線像変換パネル上に予め設定された基準位置を示す基準位置マークを有するものであり、励起光の照射を受けて放射線像変換パネルから発生した輝尽発光光を検出手段で検出するときに前記励起光の照射を受けて前記基準位置マークから発せられた蛍光を前記検出手段により検出して取得された基準位置データに基づいて、この放射線像変換パネル上の前記画像データの取得位置と前記基準位置との位置関係を認識する位置関係認識手段を備えていることを特徴とするものである。
【００１２】
本発明の第３の放射線像読取システムは、放射線像変換パネルと、主走査方向に沿って励起光を照射する励起光照射手段、励起光の照射を受けて放射線像変換パネルから発生した輝尽発光光を検出する多数の受光部が並べられたラインセンサを有しこのラインセンサにより輝尽発光光を検出して放射線像変換パネルに記録された放射線像を表す画像データを取得する検出手段、および放射線像変換パネルを検出手段に対して主走査方向と交わる副走査方向に相対的に移動させる移動手段を有する放射線像読取装置とを備えた放射線像読取システムであって、放射線像変換パネルが、励起光の照射を受けて検出手段で検出可能な所定の光強度の蛍光を発する、主走査方向に延びる基準光発生部を有するものであり、励起光の照射を受けて放射線像変換パネルから発生した輝尽発光光を検出手段で検出するときに前記励起光の照射を受けて前記基準光発生部から発せられた蛍光を前記検出手段により検出して取得された前記所定の光強度を示す所定光強度データに基づいて、各受光部間の感度バラツキを示す感度バラツキデータを取得する感度情報取得手段を備えていることを特徴とするものである。
【００１３】
本発明の第４の放射線像読取システムは、放射線像変換パネルと、主走査方向に沿って励起光を照射する励起光照射手段、励起光の照射を受けて放射線像変換パネルから発生した輝尽発光光を検出する多数の受光部が並べられたラインセンサを有しこのラインセンサにより輝尽発光光を検出して放射線像変換パネルに記録された放射線像を表す画像データを取得する検出手段、および放射線像変換パネルを検出手段に対して主走査方向と交わる副走査方向に相対的に移動させる移動手段を有する放射線像読取装置とを備えた放射線像読取システムであって、放射線像変換パネルが、励起光の照射を受けて検出手段で検出可能な蛍光を発する、主走査方向に延びる線分で示されるバーコードを有するものであり、励起光の照射を受けて放射線像変換パネルから発生した輝尽発光光を検出手段で検出するときに前記励起光の照射を受けて前記バーコードから発せられた蛍光を前記検出手段により検出して取得されたバーコードデータに基づいて、この放射線像変換パネルを識別するパネル識別手段を備えていることを特徴とするものである。
【００１４】
【発明の効果】
本発明の第１の放射線像読取システムは、放射線像変換パネルが向き識別マークを有するものであり、励起光の照射を受けて上記放射線像変換パネルから発生した輝尽発光光を検出手段で検出するときに上記励起光の照射を受けて向き識別マークから発せられた蛍光を上記検出手段により検出して取得した向き識別データに基づいて、上記放射線像変換パネルから上記輝尽発光光が検出されたときのこの放射線像変換パネルの向きを識別する向き識別手段を備えているので、例えば、上記画像データに対してシェーディング補正等を施す際に、予め上記放射線像変換パネルを用いて取得され装置内に記憶された上記シェーディング補正等に用いられる補正用データが示す上記識別マークの向きと、上記画像データが示す上記識別マークの向きとが一致されるようにして補正を施すことができ、この画像データに対してより正確な補正を施すことができるので、上記放射線像変換パネルに記録された放射線像を表すより品質の高い画像データを取得することができる。
【００１５】
本発明の第２の放射線像読取システムは、放射線像変換パネルが基準位置マークを有するものであり、励起光の照射を受けてこの放射線像変換パネルから発生した輝尽発光光を検出手段で検出するときに励起光の照射を受けて基準位置マークから発せられた蛍光を上記検出手段により検出して取得された基準位置データに基づいて、放射線像変換パネル上の画像データの取得位置と上記基準位置との位置関係を認識する位置関係認識手段を備えているので、例えば、上記画像データに対してシェーディング補正等を施す際に、予め上記放射線像変換パネルを用いて取得され放射線像読取装置内に記憶された上記シェーディング補正等に用いられる補正用データが示す放射線像変換パネル上の位置と、上記画像データが示す上記放射線像変換パネル上の位置とがより正確に一致されるようにして補正を施すことができるので、上記放射線像変換パネルに記録された放射線像を表すより品質の高い画像データを取得することができる。
【００１６】
本発明の第３の放射線像読取システムは、放射線像変換パネルが、励起光の照射を受けて検出手段で検出可能な所定の光強度の蛍光を発する主走査方向に延びる基準光発生部を有するものであり、励起光の照射を受けて上記放射線像変換パネルから発生した輝尽発光光を検出手段で検出するときに励起光の照射を受けて基準光発生部から発せられた蛍光を上記検出手段により検出して取得された所定の光強度を示す所定光強度データに基づいて、各受光部間の感度バラツキを示す感度バラツキデータを取得する感度情報取得手段を備えているので、例えば、上記感度バラツキデータを用いて上記各受光部間の感度バラツキに起因する画像データへの影響を抑制することができ、上記放射線像変換パネルに記録された放射線像を表すより品質の高い画像データを取得することができる。
【００１７】
本発明の第４の放射線像読取システムは、放射線像変換パネルが励起光の照射を受けて前記検出手段で検出可能な蛍光を発する、主走査方向に延びる線分で示されるバーコードを有するものであり、励起光の照射を受けて上記放射線像変換パネルから発生した輝尽発光光を検出手段で検出するときに励起光の照射を受けて上記バーコードから発せられた蛍光を上記検出手段により検出して取得されたバーコードデータに基づいてこの放射線像変換パネルを識別するパネル識別手段を備えているので、例えば、上記蛍光が上記輝尽発光光の波長より長波長の赤外蛍光であり、検出手段を通して受光部上に結像される際に、色収差の影響によって主走査方向にこの赤外蛍光の像がボケた場合であっても、このバーコードを構成する線分が主走査方向に延びているので、受光部上に結像されたバーコードを表す像の色収差によるボケに起因する読取り精度の低下を抑制することができる。したがって、検出手段により取得されたバーコードデータを用いて実施されるパネル識別手段による上記識別の識別能の低下を防止することができ、この識別情報に基づいて施される補正等をより正確に実行することができる。これにより、上記放射線像変換パネルに記録された放射線像を表すより品質の高い画像データを取得することができる。
【００１８】
【発明の実施の形態】
以下、本発明の実施の形態について、図面を用いて説明する。図１は本発明の実施の形態による放射線像読取システムの概略構成を示す斜視図、図２は上記放射線像読取システムの励起光照射部および検出部等を示す拡大側面図である。
【００１９】
本発明の実施の形態による放射線像読取システムは、放射線像変換パネル１０と、主走査方向（図中矢印Ｘ方向、以後主走査Ｘ方向という）に延びる線状の励起光Ｌｅを照射する励起光照射部２０、励起光Ｌｅの照射を受けて放射線像変換パネル１０から発生した輝尽発光光を検出して放射線像変換パネル１０に記録された放射線像を表す画像データを取得する検出部３０、および放射線像変換パネル１０を検出部３０に対して主走査Ｘ方向と交わる副走査方向（図中矢印Ｙ方向、以後副走査Ｙ方向という）に相対的に移動させる搬送部５０を有する放射線像読取装置１００とを備えている。
【００２０】
放射線像変換パネル１０は、励起光Ｌｅの照射を受けて検出部３０で検出可能な蛍光を発するこの放射線像変換パネル１０の向きを示す向き識別マーク６１、励起光Ｌｅの照射を受けて検出部３０で検出可能な蛍光を発するこの放射線像変換パネル上に予め設定された基準位置を示す基準位置マーク６２、励起光Ｌｅの照射を受けて検出部３０で検出可能な所定の光強度の蛍光を発する主走査Ｘ方向に延びる基準光発生部６３、および励起光Ｌｅの照射を受けて検出部３０で検出可能な蛍光を発する、主走査方向に延びる線分で示されるバーコード６４を有する。なお、上記向き識別マーク６１、基準位置マーク６２、基準光発生部６３、バーコード６４は、例えばこの放射線像変換パネル１０のヘッダー部１０Ｆに配置される。
【００２１】
上記放射線像変換パネル１０はカセッテ１９に収容されており、この放射線像変換パネル１０に記録された放射線像が読み取られる際には、このカセッテ１９が放射線像読取装置１００に装着され、上記放射線像読取装置１００のパネル引出機構８５によりカセッテ１９から放射線像変換パネル１０が引き出され、この放射線像変換パネル１０は放射線像読取装置１００内の所定の読取位置Ｋに配置される。
【００２２】
励起光照射部２０は、線状の励起光Ｌｅを射出する複数の半導体レーザが主走査方向に並べられた励起光光源であるＬＤ光源２１、およびＬＤ光源２１から射出された励起光Ｌｅを放射線像変換パネル１０上の主走査Ｘ方向に延びる線状領域Ｓに集光させるシリンドリカルレンズ２２等からなる。
【００２３】
検出部３０は、放射線像変換パネル１０から発生した輝尽発光光を結像させる結像レンズ３１と、この結像レンズ３１を通して結像された輝尽発光光を検出するラインセンサ３２と、放射線像変換パネル１０とラインセンサ３２との間の上記輝尽発光光の光路中に配置された、この輝尽発光光を透過させ励起光を遮断する励起光カットフィルタ３３とを有する。
【００２４】
なお、結像レンズ３１は主走査Ｘ方向に並べられた多数の屈折率分布型レンズ等からなるものである。また、ラインセンサ３２は、主走査Ｘ方向に多数並べられるとともに、結像レンズ３１を通してラインセンサ３２に入射する輝尽発光光の伝播方向および上記主走査Ｘ方向に対して概略直交する方向に２列に並べられた受光ライン３８Ａおよび受光ライン３８Ｂを有し、上記結像レンズ３１を通して結像された輝尽発光光を光電変換する受光部３８を有するＣＣＤ素子と、受光部３８で光電変換された信号を増幅しＡ／Ｄ変換してデジタル値からなる画像データとして出力する読出部３９とを有している。
【００２５】
消去部４５は、放射線像変換パネルに蓄積された放射線エネルギを消去する消去光光源４６を有している。
【００２６】
励起光照射部２０と検出ユニット３０と消去部４５とは一体化されて読取ユニット４０を構成しており、この一体化された読取ユニット４０は、搬送部５０によって副走査Ｙ方向に一定の速度で搬送される。
【００２７】
上記、放射線像読取装置１００は、さらに、検出部３０により励起光の照射を受けて向き識別マーク６１から発せられた蛍光を検出して取得された向き識別データに基づいて、検出部３０により放射線像変換パネル１０から輝尽発光光が検出されたときのこの放射線像変換パネル１０の向きを示す向き識別情報を取得する向き識別手段７１、検出部３０により励起光Ｌｅの照射を受けて基準位置マーク６２から発せられた蛍光を検出して取得された基準位置データに基づいて、放射線像変換パネル１０上の画像データの取得位置と上記基準位置との位置関係を認識し、この位置関係を示す基準位置情報を取得する位置関係認識手段７２、検出部３０により励起光Ｌｅの照射を受けて基準光発生部６３から発せられた蛍光を検出して取得された所定の光強度を示す所定光強度データに基づいて、各受光部間の感度バラツキを示す受光部感度バラツキ情報を取得する感度情報取得手段７３、検出部３０により励起光の照射を受けてバーコード６４から発せられた蛍光を検出して取得されたバーコードデータに基づいてこの放射線像変換パネル１０の種類を識別するパネル識別情報を取得するパネル識別手段７４、放射線像変換パネル１０上の励起光が照射された線状の領域の中心線位置である励起光照射位置Ｊｏと結像光学系３１によってラインセンサの受光部上に結像された放射線像変換パネル１０上の線状の領域の中心線位置である被結像中心位置Ｈｏとの間隔ΔＹを示すΔＹ間隔情報を輝尽発光光の検出中に取得する間隔検出部７５、および検出部３０によって取得された画像データの補正等を行なう補正設定部７０とを備えている。
【００２８】
補正設定部７０は、上記（Ａ）向き識別情報、（Ｂ）基準位置情報、（Ｃ）受光部感度バラツキ情報、（Ｄ）パネル識別情報、（Ｅ）ΔＹ間隔情報に基づいて、▲１▼シェーディング補正、▲２▼漏れ光補正、▲３▼Ｘ線損傷補正、▲４▼鮮鋭度補正、▲５▼受光部感度補正、▲６▼受光部欠陥補正、▲７▼消去光量設定、▲８▼アンプゲイン設定、▲９▼ΔＹ間隔補正を実施する。
【００２９】
上記▲１▼シェーディング補正は、画像データを表示する際に画像に生じる濃淡ムラ（シェーディング）を補正する処理であり、この濃淡ムラ（シェーディング）は、放射線像変換パネルの種類やΔＹ間隔等によって変化する。なお、補正設定部７０は、予め作成された上記シェーディング補正に用いられるシェーディング補正用の補正データを記憶している。
【００３０】
▲２▼漏れ光補正は、励起光の照射を受けて放射線像変換パネルや結像光学系等から発生し励起光カットフィルタを透過して検出される赤外光成分の影響を補正する処理であり、この赤外光成分の影響は放射線像変換パネルの種類やΔＹ間隔等によって変化する。なお、補正設定部７０は、予め作成された上記漏れ光補正に用いられる漏れ光補正用の補正データを記憶している。
【００３１】
▲３▼Ｘ線損傷補正は、放射線の曝射による劣化による放射線像変換パネルの放射線エネルギの蓄積特性および輝尽発光光の発生特性の変化を補正する処理であり、上記蓄積特性および発光特性は放射線像変換パネルの種類、放射線の曝射量によって変化する。したがって、このＸ線損傷補正は、パネル識別手段からのパネル識別情報に基づいて放射線像変換パネルに対応するように補正データを切り換えて補正を実施するものである。
【００３２】
▲４▼鮮鋭度補正は、画像データを表示する際の画像の鮮鋭性を補正する処理であり、この鮮鋭性は、放射線像変換パネルの種類やΔＹ間隔によって変化する。なお、上記画像データで表される画像中の互いに異なるΔＹ間隔で取得された画像部分では上記鮮鋭度を向上させるパラメータが変更される。また、このパラメータの変更は、ΔＹ間隔の大きさに応じて段階的に変更される。
【００３３】
▲５▼受光部感度補正は、受光部３８を構成する個別の受光部それぞれの感度バラツキによる画像データへの影響を補正するものである。
【００３４】
▲６▼受光部欠陥補正は、受光部３８を構成する個別の受光部の欠陥による画像データへの影響を補正するものであり、欠陥のある受光部から取得された画像データを補正するものである。
【００３５】
▲７▼消去光量設定は、放射線像変換パネルの残留放射線エネルギを消去する際の消去光の光量を過不足のない光量に設定するものである。この光量の設定は放射線像変換パネルの種類によって変更される。なお、補正設定部７０は、予め作成された上記消去光量設定に用いられる消去光量設定用のデータを記憶している。
【００３６】
▲８▼アンプゲイン設定は、受光部３８に結像された輝尽発光光を光電変換した信号を増幅する際のアンプのゲインを設定するものであり、このアンプゲインの設定は放射線像変換パネルの種類によって変更される。なお、補正設定部７０は、予め作成された上記アンプゲイン設定に用いられるアンプゲイン設定用のパラメータを記憶している。
【００３７】
▲９▼ΔＹ間隔補正は、上記ΔＹ間隔情報に基づいて、間隔ΔＹが小さくなるようにする補正である。
【００３８】
次に上記実施の形態における作用について説明する。
【００３９】
上記放射線像が記録された放射線像変換パネル１０を収容したカセッテ１９が放射線像読取装置１００に装着され、放射線像読取装置１００のパネル引出機構８５によりカセッテ１９から放射線像変換パネル１０が引き出され、この放射線像変換パネル１０は放射線像読取装置１００内の所定の読取位置Ｋに配置される。
【００４０】
次に、励起光照射部２０から射出された励起光Ｌｅが放射線像変換パネル１０上の線状領域Ｓに集光される。この励起光Ｌｅの照射によって線状領域Ｓから発生した輝尽発光光は結像レンズ３１および励起光カットフィルタ３３を通してラインセンサ３２の受光部３８上に結像され、この結像された輝尽発光光が受光部３８で光電変換される。
【００４１】
上記励起光照射部２０による励起光Ｌｅの照射と検出ユニット３０による輝尽発光光の検出を実行しながら、励起光照射部２０と検出ユニット３０と消去部４５とを一体化してなる上記読取ユニット４０が搬送部５０によって副走査Ｙ方向へ搬送されて、放射線像変換パネル１０から発生した輝尽発光光がラインセンサ３２の受光部３８で光電変換され、さらに読出部３９でデジタル値からなる画像データに変換されて出力される。
【００４２】
また、上記輝尽発光光の検出に基づいて検出され出力された画像データとともに、上記励起光の照射を受けて、放射線像変換パネル１０のヘッダー部１０Ｆに配置された向き識別マーク６１、基準位置マーク６２、基準光発生部６３、およびバーコード６４のそれぞれから発せられた蛍光がラインセンサ３２の受光部３８で光電変換され、さらに読出部３９でデジタル値からなるデータに変換されて出力される。
【００４３】
放射線像変換パネル１０に記録された放射線像を表す画像データ、および放射線像変換パネル１０のヘッダー部１０Ｆから発っせられた蛍光を示すデータが読み出された後、消去光光源４６が点灯され、読取ユニット４０が上記搬送部５０によって上記搬送方向とは反対方向へ搬送され、この放射線像変換パネル１０に残存する残存放射線エネルギが消去される。
【００４４】
向き識別手段７１は、上記ラインセンサ３２から出力されたデータを入力し、このデータの中から上記向き識別マーク６１を示す向き識別データを抽出して放射線像変換パネル１０の向きを示す上記（Ａ）向き識別情報を取得し、この（Ａ）向き識別情報を補正設定部７０に出力する。
【００４５】
位置関係認識手段７２は、上記ラインセンサ３２から出力されたデータを入力し、このデータの中から上記基準位置マーク６２を示す基準位置データを抽出して放射線像変換パネル１０上の画像データの取得位置と上記基準位置との位置関係を示す上記（Ｂ）基準位置情報を取得し、この（Ｂ）基準位置情報を補正設定部７０に出力する。
【００４６】
感度情報取得手段７３は、上記ラインセンサ３２から出力されたデータを入力し、このデータの中から上記基準光発生部６３から発せられた蛍光の強度を示す所定光強度データを抽出して受光部３８の感度バラツキを示す上記（Ｃ）受光部感度バラツキ情報を取得し、この（Ｃ）受光部感度バラツキ情報を補正設定部７０に出力する。すなわち、主走査Ｘ方向に延びる基準光発生部６３から発せられた蛍光の強度は位置によらず一定の強度を示すので、検出部３０により取得された所定光強度データにバラツキが生じた場合には、その原因は受光部３８中の個別の受光部の感度の違いによるものとなり、この所定光強度データに基づいて上記受光部感度バラツキ情報を得ることができる。
【００４７】
パネル識別手段７４は、上記ラインセンサ３２から出力されたデータを入力し、このデータの中から上記バーコードを示すバーコードデータを抽出して、この放射線像変換パネルの種類（製造方法の違い等による種類）、および放射線像変換パネルの製造年月を示す上記（Ｄ）パネル識別情報を取得し、この（Ｄ）パネル識別情報を補正設定部７０に出力する。
【００４８】
間隔検出部７５は、受光部３８の副走査Ｙ方向に沿って互いに並ぶ上記受光ライン３８Ａから取得された輝尽発光光の光量を示すデータの値と、および受光ライン３８Ｂから取得された輝尽発光光の光量を示すデータとの比率に基づいて上記間隔ΔＹの概略値を示す（Ｅ）ΔＹ間隔情報を取得し、この（Ｅ）ΔＹ間隔情報を補正設定部７０に出力する。
【００４９】
補正設定部７０は、上記各情報を入力し、これらの情報を用いて、▲１▼シェーディング補正、▲２▼漏れ光補正、▲３▼Ｘ線損傷補正、▲４▼鮮鋭度補正、▲５▼受光部感度補正、▲６▼受光部欠陥補正、▲７▼消去光量設定、▲８▼アンプゲイン設定、▲９▼ΔＹ間隔補正を実施する。
【００５０】
以下、補正設定部７０によって実施される上記補正および設定について説明する。
【００５１】
＜▲１▼シェーディング補正＞
シェーディング補正を実施する場合には、補正設定部７０が、上記（Ｄ）パネル識別情報および（Ｅ）ΔＹ間隔情報に基づいて選択されたシェーディング補正用の補正データと、（Ａ）向き識別情報および（Ｂ）基準位置情報とを用いてシェーディング補正を実施する。
【００５２】
すなわち、補正設定部７０により、始めに（Ｄ）パネル識別情報に基づいて識別された放射線像変換パネル１０の種類と、（Ｅ）ΔＹ間隔情報によって示される輝尽発光光の検出中に取得された間隔ΔＹの変化の平均値とに対応する補正データが選択される。つづいて、上記（Ａ）向き識別情報および（Ｂ）基準位置情報に基づいて、取得された画像データが示す放射線像変換パネル１０上の位置と上記補正データが示す放射線像変換パネル１０上の位置とが一致されるようにして、上記画像データに対して上記補正データを用いたシェーディング補正が施される。
【００５３】
＜▲２▼漏れ光補正＞
漏れ光補正を実施する場合には、補正設定部７０が、上記（Ｄ）パネル識別情報および（Ｅ）ΔＹ間隔情報に基づいて選択された漏れ光補正用の補正データと、（Ａ）向き識別情報および（Ｂ）基準位置情報とを用いて漏れ光補正Ｘ線損傷補正を実施する。
【００５４】
すなわち、補正設定部７０により、始めに（Ｄ）パネル識別情報に基づいて識別された放射線像変換パネル１０の種類と（Ｅ）ΔＹ間隔情報によって示される輝尽発光光を検出中の間隔ΔＹの変化の平均値とに対応する補正データが選択される。つづいて、上記（Ａ）向き識別情報および（Ｂ）基準位置情報に基づいて、取得された画像データが表す放射線像変換パネル１０上の位置と上記補正データが表す放射線像変換パネル１０上の位置とが一致されるようにして、上記画像データに対して上記補正データを用いた漏れ光補正が施される。
【００５５】
＜▲３▼Ｘ線損傷補正＞
Ｘ線損傷補正を実施する場合には、補正設定部７０が、上記（Ｄ）パネル識別情報に基づいて選択されたＸ線損傷補正用の補正データと、（Ａ）向き識別情報および（Ｂ）基準位置情報とを用いて上記Ｘ線損傷補正を実施する。
【００５６】
すなわち、補正設定部７０により、始めに（Ｄ）パネル識別情報に基づいて識別されたパネルに対応する補正データが選択される。つづいて、上記（Ａ）向き識別情報、および（Ｂ）基準位置情報に基づき、取得された画像データが表す放射線像変換パネル１０上の位置と上記補正データが表す放射線像変換パネル１０上の位置とが一致されるようにして、上記画像データに対して上記補正データを用いたＸ線損傷補正が施される。
【００５７】
＜▲４▼鮮鋭度補正＞
鮮鋭度補正を実施する場合には、補正設定部７０が、（Ｄ）パネル識別情報および（Ｅ）ΔＹ間隔情報を用いて上記鮮鋭度補正を実施する。
【００５８】
すなわち、補正設定部７０により、（Ｄ）パネル識別情報に基づいて識別された放射線像変換パネル１０の種類と（Ｅ）ΔＹ間隔情報によって示される輝尽発光光を検出中の間隔ΔＹの変化とに応じて鮮鋭度を向上させるパラメータが変更され、この変更されたパラメータを用いて上記画像データに対して上記鮮鋭度補正が施される。この場合には、上記画像データで表される画像中の互いに異なるΔＹ間隔において取得された画像部分毎に上記パラメータが段階的に変更される。
【００５９】
＜▲５▼受光部感度補正＞
受光部感度補正を実施する場合には、補正設定部７０が、（Ｃ）受光部感度バラツキ情報に基づいて作成された主走査Ｘ方向に多数並ぶ受光部間の感度のバラツキの画像データへの影響を補正する受光部感度補正パラメータを用いて上記受光部感度補正を実施する。
【００６０】
すなわち、補正設定部７０により、上記画像データが示す画像中の互いに感度が異なる受光部で取得された画像部分（副走査Ｙ方向に対応して延びる画像部分）において互いに異なる受光部感度補正パラメータが適用されて画像データが補正される。
【００６１】
＜▲６▼受光部欠陥補正＞
受光部感度補正を実施する場合には、補正設定部７０が、（Ｃ）受光部感度バラツキ情報に基づいて受光部中の感度を示さない受光部、すなわち欠陥受光部を特定し、この受光部から取得された画像データを補正する。
【００６２】
すなわち、補正設定部７０により、上記欠陥受光部から取得された画像データが、この欠陥受光部の隣に位置する受光部から取得された画像データによって補完される。
【００６３】
なお、上記欠陥受光部が特定されたときには、受光部中に欠陥受光部が存在することを示す報知信号Ｈｏがこの補正設定部７０から出力される。
【００６４】
＜▲７▼消去光量設定＞
消去光量設定を実施する場合には、補正設定部７０が、（Ｄ）パネル識別情報に基づいて選択された消去光量設定用パラメータを用いて上記消去光量設定を実施する。
【００６５】
すなわち、補正設定部７０により、始めに（Ｄ）パネル識別情報に基づいて識別された放射線像変換パネル１０の種類（上記種類によって残存放射線エネルギの消去特性が異なる）に対応する消去光量設定用パラメータが選択される。つづいて、上記パラメータが消去部４５に出力され、放射線像変換パネル１０に残存する残存放射線エネルギの消去が行なわれる際の消去光光源４６から照射される消去光光量が過不足ない適正な光量となるように設定される。
【００６６】
＜▲８▼アンプゲイン設定＞
アンプゲイン設定を実施する場合には、補正設定部７０が、パネル識別マークを先読みして（Ｄ）パネル識別情報を得、その後、この（Ｄ）パネル識別情報に基づいて選択されたアンプゲインパラメータを用いて上記画像データの取得が実施される。
【００６７】
すなわち、補正設定部７０により、始めに（Ｄ）パネル識別情報に基づいて識別された放射線像変換パネル１０の種類（上記種類によって輝尽発光光の発光特性が異なる）に対応するアンプゲインパラメータが選択される。つづいて、上記パラメータを検出部３０に出力し、検出部３０が読出部３９の増幅ゲインを設定する。これにより、放射線像変換パネル１０から発生した輝尽発光光が受光部３８で光電変換された後、この信号が読出部３９によって適正なゲインで増幅されＡ／Ｄ変換されて画像データとして出力される。
【００６８】
＜▲９▼ΔＹ間隔補正＞
ΔＹ間隔補正を実施する場合には、補正設定部７０が、輝尽発光光の検出中に取得されたΔＹ間隔を示す（Ｅ）ΔＹ間隔情報に基づいてΔＹ間隔の補正を実施する。
【００６９】
すなわち、補正設定部７０により、圧電素子制御部８１を介して圧電素子８２へ供給する電圧を変更し、ΔＹ間隔が０に近づくように圧電素子８２の伸縮により励起光照射部２０を移動させて補正を行なう。この、ΔＹ間隔補正は（Ｅ）ΔＹ間隔情報に基づいてリアルタイムに実施される。
【００７０】
なお、上記実施の形態においては、線状の励起光の照射により放射線像変換パネルから発生した輝尽発光光をラインセンサで検出する、いわゆるラインビーム方式の放射線像読取装置を使用した放射線像読取システムの例を示したが、本発明は、点状の励起光の走査により放射線像変換パネルから発生した輝尽発光光をフォトマルチプライヤで検出する、いわゆるポイントスキャン方式の放射線像読取装置を使用した放射線像読取システムに適用することもできる。
【００７１】
なお、ポイントスキャン方式の放射線像読取システムの場合には、▲５▼受光部感度補正および▲９▼ΔＹ間隔補正が実施されないので、ΔＹ間隔補正間隔検出部７５および位置関係認識手段７２を備える必要はなく、基準位置マーク６２、圧電素子制御部８１、および圧電素子８２も不用となる。
【００７２】
また、上記実施の形態においては、カセッテから放射線像変換パネルを取り出して、この放射線像変換パネルに記録された放射線像を表す画像データを取得する例を示したが、本発明は、放射線像変換パネルを装置内に一体的に収容した放射線像読取システム、いわゆるカセッテを用いないビルトインタイプの放射線像読取システムにも適用することができる。
【００７３】
なお、ビルトインタイプの放射線像読取システムにおいて、放射線像変換パネルの位置再現性が非常に高い場合には、向きの識別と基準位置の取得が不用となり、向き識別手段７１および位置関係認識手段７２を備える必要はなく、放射線像変換パネルへの向き識別マーク６１および基準位置マーク６２の配置も不用となる。
【図面の簡単な説明】
【図１】本発明の実施の形態による放射線像読取システムの概略構成を示す斜視図
【図２】励起光照射部および検出部等を示す拡大側面図
【符号の説明】
１０    放射線像変換パネル
２０    励起光照射部
３０    検出部
５０    搬送部
６１    向き識別マーク
６２    基準位置マーク
６３    基準光発生部
６４    バーコード
１００    放射線像読取装置
【図１】
2004233449.tif 000003
【図２】
2004233449.tif 000004